(57)【要約】【課題】容易にジャム紙を除去することができるように用紙搬送路を開放する構成であっても、案内手段が用紙の搬送方向に回転移動する構成を有しない場合に比べて、安定して用紙を搬送することができる用紙搬送装置及び画像形成装置を提供する。【解決手段】用紙の搬送方向と交差する方向に複数設けられた一対の搬送手段を有し用紙を所定の方向に用紙搬送する用紙搬送路と、用紙搬送路の一部が露出するように開閉する開閉手段と、開閉手段が開くことで、用紙搬送路の片側の案内面を有し、用紙を案内する案内姿勢と、案内姿勢から回転して案内面を開放する開放姿勢との間で回転軸を基準に回転可能に支持された案内手段と、を備えた。【選択図】図３
2020132280.tif 000002
【特許請求の範囲】
【請求項１】
用紙の搬送方向と交差する方向に複数設けられた一対の搬送手段を有し用紙を所定の方向に用紙搬送する用紙搬送路と、
前記用紙搬送路の一部が露出するように開閉する開閉手段と、
前記開閉手段が開くことで、前記用紙搬送路の片側の案内面を有し、前記用紙を案内する案内姿勢と、前記案内姿勢から回転して前記案内面を開放する開放姿勢との間で回転軸を基準に回転可能に支持された案内手段と、を備えた、
ことを特徴とする用紙搬送装置。
【請求項２】
前記回転軸は前記用紙搬送路の前記用紙の搬送方向における上流側であって、前記案内手段の下部に前記用紙の搬送方向と交差する方向に延びて設けられ、前記案内手段は前記開閉手段の開閉に伴って前記回転軸を回転中心として前記用紙の搬送方向に回転移動する、
ことを特徴とする請求項１に記載の用紙搬送装置。
【請求項３】
前記案内手段は、前記案内面から突出し前記一対の搬送手段の片側を構成する従動ローラを保持し、前記開閉手段の閉動作で前記回転軸を回転中心として回転し、複数の前記従動ローラが前記一対の搬送手段の他の片側を構成する複数の駆動ローラに当接する、
ことを特徴とする請求項１又は２に記載の用紙搬送装置。
【請求項４】
前記用紙搬送路において、前記案内手段の前記案内面と向かい合い前記用紙を反転させて搬送する反転搬送路の片側を形成する第２案内手段を備え、前記開閉手段が開くことで、前記第２案内手段が移動して前記案内手段から遠ざかり前記案内手段の前記案内面との距離を拡大させる、
ことを特徴とする請求項１ないし３のいずれか１項に記載の用紙搬送装置。
【請求項５】
前記案内手段及び前記第２案内手段は、それぞれ突起部を有し、前記開閉手段の閉動作で、前記案内手段の前記突起部が前記第２案内手段の前記突起部に接触して前記案内手段及び前記第２案内手段が移動して前記用紙搬送路を形成する、
ことを特徴とする請求項１ないし４のいずれか１項に記載の用紙搬送装置。
【請求項６】
用紙に画像を形成する画像形成手段と、
前記画像形成手段により前記画像が形成された用紙を排出する排出手段と、
前記画像形成手段で前記画像が形成された前記用紙を前記排出手段まで搬送する請求項１ないし５のいずれか１項に記載の用紙搬送装置と、
前記用紙搬送装置の用紙搬送路の一部が露出するように開閉する開閉手段と、を備えた
ことを特徴とする画像形成装置。
【発明の詳細な説明】
【技術分野】
【０００１】
本発明は、用紙搬送装置及び画像形成装置に関する。
【背景技術】
【０００２】
シートが搬送されるシート搬送経路と、シート搬送経路のシート搬送方向上流側に配設される上流側搬送部材と、シート搬送経路のシート搬送方向下流側に配設される下流側搬送部材と、シート搬送経路を搬送されるシートがジャムとなった場合に、当該シートがシート搬送方向に向けて搬送されるように上流側搬送部材を駆動すると共に、当該シートがシート搬送方向と逆方向に向けて搬送されるように下流側搬送部材を駆動する制御部とを含むシート搬送装置が知られている（特許文献１）。
【０００３】
画像が形成された記録材を搬送する搬送経路部と、自装置の一方の側面に、当該自装置に対して開閉可能に設けられ、当該自装置に対して開くことで、搬送経路部の一部を開放する第１の開閉部と、第１の開閉部よりも自装置の内側であって、当該自装置に対して開閉可能に設けられ、当該自装置に対して開くことで、搬送経路部の一部とは異なる搬送経路部の他の一部を開放する第２の開閉部と、を備える記録材搬送装置も知られている（特許文献２）。
【先行技術文献】
【特許文献】
【０００４】
【特許文献１】特開２００５−０７７８９５号公報
【特許文献２】特開２０１７−０６１３５６号公報
【発明の概要】
【発明が解決しようとする課題】
【０００５】
本発明は、容易にジャム紙を除去することができるように用紙搬送路を開放する構成であっても、案内手段が用紙の搬送方向に回転移動する構成を有しない場合に比べて、安定して用紙を搬送することができる用紙搬送装置及び画像形成装置を提供することを目的とする。
【課題を解決するための手段】
【０００６】
前記課題を解決するために、請求項１に記載の用紙搬送装置は、
用紙の搬送方向と交差する方向に複数設けられた一対の搬送手段を有し用紙を所定の方向に用紙搬送する用紙搬送路と、
前記用紙搬送路の一部が露出するように開閉する開閉手段と、
前記開閉手段が開くことで、前記用紙搬送路の片側の案内面を有し、前記用紙を案内する案内姿勢と、前記案内姿勢から回転して前記案内面を開放する開放姿勢との間で回転軸を基準に回転可能に支持された案内手段と、を備えた、
ことを特徴とする。
【０００７】
請求項２に記載の発明は、請求項１に記載の用紙搬送装置において、
前記回転軸は前記用紙搬送路の前記用紙の搬送方向における上流側であって、前記案内手段の下部に前記用紙の搬送方向と交差する方向に延びて設けられ、前記案内手段は前記開閉手段の開閉に伴って前記回転軸を回転中心として前記用紙の搬送方向に回転移動する、
ことを特徴とする。
【０００８】
請求項３に記載の発明は、請求項１又は２に記載の用紙搬送装置において、
前記案内手段は、前記案内面から突出し前記一対の搬送手段の片側を構成する従動ローラを保持し、前記開閉手段の閉動作で前記回転軸を回転中心として回転し、複数の前記従動ローラが前記一対の搬送手段の他の片側を構成する複数の駆動ローラに当接する、
ことを特徴とする。
【０００９】
請求項４に記載の発明は、請求項１ないし３のいずれか１項に記載の用紙搬送装置において、
前記用紙搬送路において、前記案内手段の前記案内面と向かい合い前記用紙を反転させて搬送する反転搬送路の片側を形成する第２案内手段を備え、前記開閉手段が開くことで、前記第２案内手段が移動して前記案内手段から遠ざかり前記案内手段の前記案内面との距離を拡大させる、
ことを特徴とする。
【００１０】
請求項５に記載の発明は、請求項１ないし４のいずれか１項に記載の用紙搬送装置において、
前記案内手段及び前記第２案内手段は、それぞれ突起部を有し、前記開閉手段の閉動作で、前記案内手段の前記突起部が前記第２案内手段の前記突起部に接触して前記案内手段及び前記第２案内手段が移動して前記用紙搬送路を形成する、
ことを特徴とする。
【００１１】
前記課題を解決するために、請求項６に記載の画像形成装置は、
用紙に画像を形成する画像形成手段と、
前記画像形成手段により前記画像が形成された用紙を排出する排出手段と、
前記画像形成手段で前記画像が形成された前記用紙を前記排出手段まで搬送する請求項１ないし５のいずれか１項に記載の用紙搬送装置と、
前記用紙搬送装置の用紙搬送路の一部が露出するように開閉する開閉手段と、を備えた
ことを特徴とする。
【発明の効果】
【００１２】
請求項１、６に記載の発明によれば、用紙搬送路を広く開放して容易にジャム紙を除去することができる構成であっても、案内手段が用紙の搬送方向に回転移動する構成を有しない場合に比べて、安定して用紙を搬送することができる。
【００１３】
請求項２に記載の発明によれば、用紙搬送路を回転軸を基準として用紙搬送方向に移動させる構成を有しない場合に比べて、用紙搬送路を広く開放することができる。
【００１４】
請求項３に記載の発明によれば、複数の一対の搬送手段の駆動ローラに対する従動ローラの当接タイミングのバラツキを少なくすることができる。
【００１５】
請求項４に記載の発明によれば、用紙搬送路を広く開放して容易にジャム紙を除去することができる。
【００１６】
請求項５に記載の発明によれば、開閉部材を閉じることで開放された用紙搬送路を用紙搬送可能な状態に戻すことができる。
【図面の簡単な説明】
【００１７】
【図１】画像形成装置の内部構成を示す断面模式図である。
【図２】用紙搬送装置における用紙搬送路を示す断面模式図である。
【図３】第２案内ガイドが開放姿勢に位置する用紙搬送装置における用紙搬送路を示す断面模式図である。
【図４】（ａ）は案内ガイドが開放姿勢から案内姿勢に戻る途中の状態を示す断面模式図、（ｂ）は搬送ローラ対の離間を説明する図である。
【図５】（ａ）は案内ガイドが案内姿勢に位置する状態を示す断面模式図、（ｂ）は搬送ローラ対のニップ状態を説明する図である。
【図６】案内ガイドを案内姿勢に移動させる場合の移動開始位置を示す断面模式図である。
【図７】案内ガイドが第２案内ガイドに接触して第２案内ガイドを案内位置に戻す状態を示す断面模式図である。
【図８】案内ガイド及び開閉部材が装置本体に係合された状態を示す断面模式図である。
【図９】開閉部材を開放して案内ガイドが開放姿勢に位置する画像形成装置の断面模式図である。
【発明を実施するための形態】
【００１８】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１９】
（１）画像形成装置の全体構成及び動作
図１は画像形成装置１の内部構成を示す断面模式図である。
以下、図面を参照しながら、画像形成装置１の全体構成及び動作を説明する。
【００２０】
画像形成装置１は、制御装置１０、給紙装置２０、露光装置ＬＨ、感光体ユニット３０、現像装置４０、転写装置５０、定着装置６０、用紙搬送装置７０を備えて構成されている。画像形成装置１の上面（Ｚ方向）には、画像が記録された用紙Ｐが排出・収容される排紙トレイ部Ｔ１が形成されている。
【００２１】
制御装置１０は、画像形成装置１の動作を制御するコントローラ１１と、コントローラ１１により作動を制御される画像処理部１２、電源装置１３等を有する。電源装置１３は、感光体ユニット３０、現像装置４０、転写装置５０等に電圧を印加する。
画像処理部１２は、外部の情報送信装置（例えばパーソナルコンピュータ等）から入力された印刷情報を潜像形成用の画像情報に変換して予め設定されたタイミングで、駆動信号を露光装置ＬＨに出力する。
【００２２】
画像形成装置１の底部には、用紙トレイ２１、２２を備えた給紙装置２０が設けられ、規制板（不図示）で幅方向位置が決められた用紙Ｐは、上側から１枚ずつ用紙引き出し部２３により側方（−Ｘ方向）に引き出される。
用紙引き出し部２３から引き出された用紙Ｐは、用紙搬送路Ｓ０を介してレジストローラ対２４のニップ部まで搬送される。
【００２３】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００２４】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２４から送り出され、搬送ガイドにより案内された用紙Ｐに二次転写ローラ５２によって一括転写される。
【００２５】
定着装置６０は一対の加熱モジュール６１と加圧モジュール６２の圧接領域によって定着ニップ部（定着領域）が形成される。
転写装置５０においてトナー像が一括転写された用紙Ｐは、トナー像が未定着の状態で搬送ガイド５３を介して定着装置６０の定着ニップ部に搬送され、一対の加熱モジュール６１と加圧モジュール６２により、加熱と圧着の作用でトナー像が定着される。
【００２６】
定着トナー像が形成された用紙Ｐは、用紙搬送装置７０の第１搬送路Ｓ１にガイドされ、第１排出ローラ対８０から画像形成装置１上面の排紙トレイ部Ｔ１に排出・収容される。また、両面印刷のために反転したり、画像記録面を上側にして排出する場合は、切替ゲートＧ１で第２搬送路Ｓ２に向って搬送方向が切り替えられる。
【００２７】
第２搬送路Ｓ２においては、更に切替ゲートＧ２で第２排出ローラ対８１から排紙トレイＴ２に画像記録面を下側にして排出・積載されるフェースダウン排紙と、第３排出ローラ対８２から排紙トレイＴ３に画像記録面を上側にして排出・積載されるフェースアップ排紙とが切り替えられる。
また、両面印刷される場合は、第２排出ローラ対８１が反転駆動されて、反転した用紙Ｐが再度レジストローラ対２４へ搬送されて裏面に画像形成が行われる。
【００２８】
（２）用紙搬送装置の構成と動作
図２は用紙搬送装置７０における用紙搬送路を示す断面模式図、図３は第２案内ガイド７６が開放姿勢に位置する用紙搬送装置７０における用紙搬送路を示す断面模式図、図４（ａ）は案内ガイド７５が開放姿勢から案内姿勢に戻る途中の状態を示す断面模式図、（ｂ）は搬送ローラ対７３、７４の離間を説明する図、図５（ａ）は案内ガイド７５が案内姿勢に位置する状態を示す断面模式図、（ｂ）は搬送ローラ対７３、７４のニップ状態を説明する図である。
以下、図面を参照しながら、画像形成装置１の用紙搬送装置７０の構成と用紙搬送について説明する。
【００２９】
（２．１）用紙搬送部の構成
図２に示すように、用紙搬送装置７０は、定着装置６０の用紙搬送方向における下流側に設けられた案内ガイド７１ａ、７１ｂ、搬送ローラ対７２、７３、７４、切替ゲートＧ１、Ｇ２、Ｇ３、第１排出ローラ対８０、第２排出ローラ対８１、第３排出ローラ対８２、案内手段の一例としての案内ガイド７５、第２案内手段の一例としての第２案内ガイド７６を含んで構成されている。
【００３０】
定着装置６０の定着ニップ部の下流側には、案内ガイド７１ａ、７１ｂが設けられ、トナー像が定着された用紙Ｐを搬送ローラ対７２へ案内している。搬送ローラ対７２から第１排出ローラ対８０までの第１搬送路Ｓ１は、切替ゲートＧ１によって形成されている。
【００３１】
切替ゲートＧ１は、用紙Ｐを第１排出ローラ対８０へ導く第１位置と、用紙Ｐを搬送ローラ対７３へ導く第２位置をとるように回転支持されている（図２中  矢印参照）。
切替ゲートＧ１が、用紙Ｐを第１排出ローラ対８０へ導く第１位置に位置している状態では、搬送ローラ対７２から第１排出ローラ対８０までの第１搬送路Ｓ１は、湾曲した状態で形成され装置高の増大が抑制されている。
【００３２】
搬送ローラ対７３の用紙搬送方向下流側には第２搬送路Ｓ２が形成され、分岐点に切替ゲートＧ２が配置されている。
切替ゲートＧ２は、第２搬送路Ｓ２を、第２排出ローラ対８１に案内する第３搬送路Ｓ３と、第３排出ローラ対８２に案内する第４搬送路Ｓ４に切り替える（図２中  矢印参照）。
排紙トレイＴ２には、用紙Ｐが画像記録面を下側にした状態（フェースダウン）で収容される。排紙トレイＴ３には、用紙Ｐが画像記録面を上側にした状態で（フェースアップ）収容される。
【００３３】
搬送ローラ対７４の用紙搬送方向下流側には、第５搬送路Ｓ５が形成されている。第５搬送路Ｓ５は、切替ゲートＧ３によって、搬送ローラ対７４の排出側で第４搬送路Ｓ４と切り替えられ、両面印刷時に、一旦、第３搬送路Ｓ３へ搬送された後、反転されて搬送される用紙Ｐを反転搬送路Ｓ６（図１  参照）に向かって案内する。
【００３４】
（２．２）用紙搬送路の形成
第２搬送路Ｓ２は、案内ガイド７５の用紙案内面７５ａの一部と、第３搬送路Ｓ３の用紙案内面の一方を形成する下側案内ガイド７７によって形成されている。第３搬送路Ｓ３は、案内ガイド７７と切替ゲートＧ２の第１案内面Ｇ２ａと上側案内ガイド７８によって形成されている。
【００３５】
第４搬送路Ｓ４は、搬送ローラ対７４の用紙搬送方向における上流側が、案内ガイド７５の用紙案内面７５ａと切替ゲートＧ２の第２案内面Ｇ２ｂによって形成され、搬送ローラ対７４の用紙搬送方向における下流側は、切替ゲートＧ３の第１案内面Ｇ３ａと上側案内ガイド７８によって形成されている。
【００３６】
第５搬送路Ｓ５は、上流側が、案内ガイド７５の用紙案内面７５ａと切替ゲートＧ３の第２案内面Ｇ３ｂによって形成され、下流側は、案内ガイド７５の用紙案内面７５ａと第２案内ガイド７６の用紙案内面７６ａによって形成されている。
【００３７】
案内ガイド７５は、断面視、全体が湾曲した用紙案内面７５ａから突出するように付勢支持された従動ローラ７３ｂ、７４ｂを有している。
従動ローラ７３ｂは、搬送ローラ対７３を構成する駆動ローラ７３ａに回転自在に圧接され、用紙Ｐをニップ部で挟んで第２搬送路Ｓ２へと搬送する。ピンチローラ７４ｂは、搬送ローラ対７４を構成する駆動ローラ７４ａに回転自在に圧接され、用紙Ｐをニップ部で挟んで第２搬送路Ｓ２から第４搬送路Ｓ４へと搬送し、両面印刷時には、反転した用紙Ｐを第３搬送路Ｓ３から第５搬送路Ｓ５へ搬送する。
【００３８】
（２．３）用紙搬送路の開放
図３に示すように、案内ガイド７５は、回転軸の一例としての支持軸７５ｂを回転中心として回転し、第２搬送路Ｓ２、第４搬送路Ｓ４及び第５搬送路Ｓ５を開放する。
回転中心となる支持軸７５ｂは、用紙搬送路の一部である第２搬送路Ｓ２の用紙の搬送方向における上流側であって、案内ガイド７５の下部に用紙の搬送方向と交差する方向に延びて設けられている。
【００３９】
これにより、案内ガイド７５は開閉部材１００の開閉に伴って（図９  参照）支持軸７５ｂを回転中心として用紙の搬送方向に回転移動し、案内ガイド７５が開放姿勢に回転したときに第２搬送路Ｓ２、第４搬送路Ｓ４及び第５搬送路Ｓ５のそれぞれの案内面の間隔を広げるように開放する（図３中  矢印Ｒ１参照）。
案内ガイド７５が開放姿勢に回転することで、搬送ローラ対７３、７４のニップも解除され、図３（ｂ）に模式的に示すように、駆動ローラ７３ａ、７４ａからそれぞれの従動ローラ７３ｂ、７４ｂが大きく離間する（図３（ｂ）中  Ｌ１参照）。
【００４０】
また、第２案内ガイド７６も、開閉部材１００の開閉に伴って案内ガイド７５が開放姿勢に回転する際に、図６に示すように、一端が押圧バネＳで押圧されることで、回転軸７６ｂを回転中心として移動して（図３中  矢印Ｒ２参照）案内ガイド７５から遠ざかり案内ガイド７５の用紙案内面７５ａとの距離を拡大させる。
【００４１】
（２．４）用紙搬送路の閉鎖
図４（ａ）に示すように、案内ガイド７５は、回転軸の一例としての支持軸７５ｂを回転中心として回転し（図４（ａ）中  矢印Ｒ３参照）、第２搬送路Ｓ２、第４搬送路Ｓ４及び第５搬送路Ｓ５を閉じるように移動する。
案内ガイド７５が案内姿勢に向かって回転することで、搬送ローラ対７３、７４の駆動ローラ７３ａ、７４ａとそれぞれの従動ローラ７３ｂ、７４ｂが大きく離間した状態から、従動ローラ７３ｂ、７４ｂが駆動ローラ７３ａ、７４ａに近接するように移動する（図４（ｂ）中  矢印Ｒ４参照）。このとき、回転中心となる支持軸７５ｂは、案内ガイド７５の下部に用紙の搬送方向と交差する方向に延びて設けられているために、手前側（Ｙ方向）の従動ローラ７３ｂａ、７４ｂａ及び奥側の従動ローラ７３ｂｂ、７４ｂｂ（−Ｙ方向）は、駆動ローラ７３ａ、７４ａに対して略平行（図４（ｂ）における距離Ｌ２）に移動する。
【００４２】
図５（ａ）に示すように、案内ガイド７５が案内姿勢の位置に回転すると、図５（ｂ）に示すように、搬送ローラ対７３、７４の駆動ローラ７３ａ、７４ａとそれぞれの従動ローラ７３ｂ、７４ｂは当接し、用紙搬送可能な状態となる。
このとき、回転中心となる支持軸７５ｂは、案内ガイド７５の下部に用紙の搬送方向と交差する方向に延びて設けられているために、手前側（Ｙ方向）の従動ローラ７３ｂａ、７４ｂａ及び奥側の従動ローラ７３ｂｂ、７４ｂｂ（−Ｙ方向）は、駆動ローラ７３ａ、７４ａに対して当接タイミングが略同時になる。これにより、用紙搬送方向と交差する方向（用紙の幅方向）で手前側と奥側の搬送ローラ対７３、７４のニップ圧の差のバラツキが抑制されて、安定して用紙搬送を行うことができる。
【００４３】
（３）ジャム紙の除去操作
図６は案内ガイド７５を案内姿勢に移動させる場合の移動開始位置を示す断面模式図、図７は案内ガイド７５が第２案内ガイド７６に接触して第２案内ガイド７６を案内位置に戻す状態を示す断面模式図、図８は案内ガイド７５及び開閉部材１００が装置本体に係合された状態を示す断面模式図、図９は開閉部材１００を開放して案内ガイド７５が開放姿勢に位置する画像形成装置１の断面模式図である。である。
以下図面を参照しながら画像形成装置１におけるジャム除去操作について説明する。
【００４４】
（３．１）ジャム紙の除去操作
図９に示すように、装置本体の開閉部材１００を装置本体内部が露出するように開放すると、排紙トレイＴ３が装置本体に固定された状態で、レジストローラ対２４、二次転写ローラ５２、搬送ガイド５３に至る装置本体側の用紙搬送路及び用紙搬送方向において定着装置６０の下流側に配置された用紙搬送装置７０が露出する。
【００４５】
案内ガイド７５は、用紙搬送方向における上流側が支持軸７５ｂで装置本体に回転支持され、装置本体に設けられた係合部（不図示）に掛かり合って、案内姿勢を保持している。
そして、装置本体への係合を解除することで案内ガイド７５は回転して開放姿勢となる。尚、図９に示すように、本体への係合が解除された案内ガイド７５はバネ等で案内姿勢方向へ付勢された状態（図９において破線で示す）から略９０度回転し（図９において実線で示す）第２搬送路Ｓ２、第４搬送路Ｓ４及び第５搬送路Ｓ５を大きく開放した位置まで移動可能な状態となる（図３（ａ）参照）。
【００４６】
案内ガイド７５が開放姿勢になると、第２案内ガイド７６も、回転軸７６ｂを回転中心として移動して案内ガイド７５から遠ざかり案内ガイド７５の用紙案内面７５ａとの距離を拡大させる（図３（ａ）参照）。
これにより、第２搬送路Ｓ２、第４搬送路Ｓ４及び第５搬送路Ｓ５が大きく開放され、第２搬送路Ｓ２の下側案内ガイド７７、切替ゲートＧ２、切替ゲートＧ３、第２案内ガイド７６が露出して、ジャム用紙を除去する使用者は、容易にジャム紙を除去することができる。
また、用紙Ｐが積載された排紙トレイＴ３を移動させることなく、用紙搬送装置７０を露出させて開放姿勢にすることができるために、排紙トレイＴ３上に積載された用紙を落下させないように保持する機構を不要として、装置本体の小型化を図っている。
【００４７】
（３．２）用紙搬送装置の閉操作
例えば、ジャム除去操作が終了して、開閉部材１００を閉じるように回転させると、図６に示すように、開閉部材１００に設けられた被係合部１０１（図６に模式的に示す）が案内ガイド７５の下側に設けられた係合部７５Ａに接触（図６中  矢印Ｒ５参照）して案内ガイド７５は支持軸７５ｂを回転中心として回転して上方に移動する（図６中  矢印Ｒ６参照）。
【００４８】
開閉部材１００の閉操作が継続されると、図７に示すように、案内ガイド７５は更に上方に移動するように回転し、案内ガイド７５の両側部に設けられた凸部７５ｃが、第２案内ガイド７６の両側部に形成された腕部７６ｃに接触する。第２案内ガイド７６は、腕部７６ｃが案内ガイド７５の両側部に設けられた凸部７５ｃで押される（図７中  矢印Ｆ参照）ことによって、押圧バネＳの付勢力に抗して回転し、案内ガイド７５に近づく。
【００４９】
図８に閉めすように、開閉部材１００が閉じられて、案内ガイド７５が案内状態に位置すると、第２案内ガイド７６は、腕部７６ｃが案内ガイド７５の両側部に設けられた凸部７５ｃで押し付けられ（図８中  矢印Ｆ参照）、案内ガイド７５の用紙案内面７５ａと所定の間隙で向かい合い第５搬送路Ｓ５を形成する。
この状態では、前述のように、搬送ローラ対７３、７４の手前側（Ｙ方向）の従動ローラ７３ｂａ、７４ｂａ及び奥側の従動ローラ７３ｂｂ、７４ｂｂ（−Ｙ方向）が、駆動ローラ７３ａ、７４ａに対して略平行に当接して用紙搬送方向と交差する方向（用紙の幅方向）で手前側と奥側の搬送ローラ対７３、７４のニップ圧の差のバラツキが抑制される（図５（ｂ）参照）。
【符号の説明】
【００５０】
１・・・画像形成装置
１０・・・制御装置
２０・・・給紙装置
３０・・・感光体ユニット
４０・・・現像装置
５０・・・転写装置
６０・・・定着装置
７０・・・用紙搬送装置
７１ａ、７１ｂ・・・案内ガイド
７２、７３、７４・・・搬送ローラ対
７５・・・案内ガイド
７５ａ・・・用紙案内面
７５ｂ・・・支持軸
７５ｃ・・・凸部
７６・・・第２案内ガイド
７６ａ・・・用紙案内面
７６ｂ・・・支持軸
７６ｃ・・・腕部
７７・・・下側案内ガイド
７８・・・上側案内ガイド
８０・・・第１排出ローラ対
８１・・・第２排出ローラ対
８２・・・第３排出ローラ対
１００・・・開閉部材
１０１・・・被係合部
Ｇ１、Ｇ２、Ｇ３・・・切替ガイド
Ｐ・・・用紙
【図１】
2020132280.tif 000003
【図２】
2020132280.tif 000004
【図３】
2020132280.tif 000005
【図４】
2020132280.tif 000006
【図５】
2020132280.tif 000007
【図６】
2020132280.tif 000008
【図７】
2020132280.tif 000009
【図８】
2020132280.tif 000010
【図９】
2020132280.tif 000011